(57)【要約】【課題】軽量で、使用中に渦巻部に接触した場合にも火花を発生せず、且つコスト効率の良い静電気防止羽根を提供する。【解決手段】遠心羽根は、静電気防止プラスチックの本体と、金属、好ましくは、アルミニウムで作られたバックプレートとを備えている。バックプレートは、羽根が配備された送風機の渦巻部に偶発的に接触しないように、本体に固定される。【選択図】図１
2011153625.tif 000002
【特許請求の範囲】
【請求項１】
本体と、本体に装着されたバックプレートとを備え、本体が静電気防止プラスチックで作られ、バックプレートが金属で作られた遠心羽根。
【請求項２】
前記本体は、静電気防止プラスチックのモノリシック構造である、請求項１に記載の遠心羽根。
【請求項３】
前記バックプレートは、アルミニウムで作られる、請求項１又は２に記載の遠心羽根。
【請求項４】
前記本体は、カバープレート、及びこのカバープレートとバックプレートとの間に延びる複数の翼を備えた、請求項１、２又は３に記載の遠心羽根。
【請求項５】
前記本体は、更に、翼の半径方向外端に接続された外側リングを備え、前記バックプレートは、この外側リングの内部に配置される、請求項４に記載の遠心羽根。
【請求項６】
前記外側リングは、前記バックプレートを越えて軸方向に延びる、請求項５に記載の遠心羽根。
【請求項７】
前記バックプレートは、前記外側リングの可塑変形により前記外側リングの半径方向内面にしっかり接続される、請求項５又は６に記載の遠心羽根。
【請求項８】
前記バックプレートは、複数のスルーホールを有し、前記翼は、それらスルーホールに延びる突起を有する、請求項４、５、６又は７に記載の遠心羽根。
【請求項９】
前記突起は、前記バックプレートを前記翼にしっかり接続する、請求項８に記載の遠心羽根。
【請求項１０】
前記本体は、更に、前記翼の半径方向内端に形成された内側リングを備え、前記バックプレートは、中心穴を有し、その周囲がその内側リングにしっかり接続される、請求項４から９のいずれかに記載の遠心羽根。
【発明の詳細な説明】
【技術分野】
【０００１】
本発明は、遠心羽根に係り、より詳細には、ガスを燃料とする給湯器の予混合送風機に使用するための静電気防止特性を有する遠心羽根に係る。
【背景技術】
【０００２】
ガスを燃料とする給湯器の予混合送風機のための従来の遠心羽根は、金属で形成され、バックプレートと、入口開口をもつカバープレートと、これらバックプレート及びカバープレートに接続された翼とを備えている。この羽根は、送風機の渦巻部の中に配置され、そしてバックプレートによりモータのシャフトに固定される。カバープレートの入口は、渦巻部の入口付近に配置される。動作中に、ガス及び空気の混合物が入口を通して渦巻部へ流れ込み、翼間に形成された通路に通され、そして渦巻部の出口から流出される。羽根がガス及び空気の混合物に露出されるので、羽根及び渦巻部は、静電気防止特性を有していて、羽根に静電気が蓄積するのを回避し、さもなければ、静電気放電を生じてガス及び空気の混合物を点火させる。バックプレート、翼及びカバープレートは、同じ材料で作られる。
【発明の概要】
【発明が解決しようとする課題】
【０００３】
日本国特許出願公告第ＪＰ９−１２６１８５号は、バックプレート、カバープレート及び翼が全てアルミニウムで作られ、翼の２つの側縁がカバープレート及びバックプレートに各々固定された羽根を開示している。羽根の重量は大きく、そのアッセンブルプロセスは、複雑である。又、羽根と渦巻部とが偶発的に接触すると、火花を発生して、ガス空気混合物を点火するおそれが生じる。これらの問題を解消するため、バックプレート、カバープレート及び翼が全て静電気防止プラスチックで作られた羽根が開発された。しかしながら、そのコストは、アルミニウム羽根のコストの何倍にもなる。
【０００４】
そこで、軽量で、使用中に渦巻部に接触した場合にも火花を発生せず、且つコスト効率の良い静電気防止羽根が要望される。
【課題を解決するための手段】
【０００５】
従って、本発明は、その１つの態様において、本体と、本体に装着されたバックプレートとを備え、本体が静電気防止プラスチックで作られ、バックプレートが金属で作られた遠心羽根を提供する。
【０００６】
好ましくは、本体は、静電気防止プラスチックのモノリシック構造である。
【０００７】
好ましくは、バックプレートは、アルミニウムで作られる。
【０００８】
好ましくは、本体は、カバープレート、及びこのカバープレートとバックプレートとの間に延びる複数の翼を備えている。
【０００９】
好ましくは、本体は、更に、翼の半径方向外端に接続された外側リングを備え、バックプレートは、この外側リングの内部に配置される。
【００１０】
好ましくは、外側リングは、バックプレートを越えて軸方向に延びる。
【００１１】
好ましくは、バックプレートは、外側リングの可塑変形により外側リングの半径方向内面にしっかり接続される。
【００１２】
好ましくは、バックプレートは、複数のスルーホールを有し、翼は、それらスルーホールに延びる突起を有する。
【００１３】
好ましくは、突起は、バックプレートを翼にしっかり接続する。
【００１４】
好ましくは、本体は、更に、翼の半径方向内端に接続された内側リングを備え、バックプレートは、中心穴を有し、その周囲が内側リングにしっかり接続される。
【００１５】
以下、添付図面を参照し、本発明の好ましい実施形態を一例として説明する。２つ以上の図に現れる同じ構造物、要素又は部品は、一般的に、それらが現れる全ての図において同じ参照番号で示す。図示されたコンポーネント及び特徴部の寸法は、一般的に、表現の便宜上及び明瞭化のために選択されたものであって、必ずしも一定の縮尺率で描かれていない。
【図面の簡単な説明】
【００１６】
【図１】本発明の好ましい実施形態による遠心羽根を上から見た分解図である。
【図２】図１の羽根を下から見た分解図である。
【図３】アッセンブルされた羽根の断面図である。
【発明を実施するための形態】
【００１７】
好ましい遠心羽根は、本体１０と、この本体１０に装着されたバックプレート６０とを備えている。本体１０及びバックプレート６０の一方は、プラスチックで作られ、そしてその他方は、金属で作られる。
【００１８】
好ましくは、本体１０が静電気防止プラスチックで作られ、そしてバックプレート６０が金属で作られる。本体１０は、バックプレート６０と反対のカバープレート２０と、このカバープレート２０の片側に接続された複数の翼３０とを備えている。カバープレート２０の中心には、空気入口２２が形成される。翼３０の半径方向外端は、カバープレート２０の外周を越えて延びる。好ましくは、この本体は、単一部片の品目として形成されるか、又は射出成型によりモノリシック構造として形成される。
【００１９】
本体１０は、更に、翼３０の半径方向外端に接続された外側リング４０も備えている。この外側リング４０は、軸方向に延びる管状構造である。バックプレート６０は、外側リング４０の内部に配置され、そしてボンディング、溶接、又は好ましくは外側リング４０の可塑変形により、外側リング４０の内面にしっかり接続される。好ましくは、外側リング４０には、軸方向にバックプレート６０を越えて延びる軸方向端（カバープレート２０から離れた端）が設けられる。この構成は、バックプレートの外縁が渦巻部に偶発的に接触するのを防止する。外側リング４０の内半径は、カバープレート２０の外半径より大きく、本体１０を成形ダイから取り外し易くしている。
【００２０】
翼３０には、カバープレート２０から離れた側に突起３２が設けられている。バックプレート６０には、突起３２を通すために突起３２に対応するスルーホール６２が設けられる。好ましくは、突起３２は、スルーホール６２を貫通してバックプレート６０を越えて延び、そしてバックプレート６０にしっかり接続される。好ましくは、突起３２は、バックプレートを本体に固定するように高温杭止め(hot stake)されるか、さもなければ、塑性変形される。
【００２１】
本体１０は、更に、ハブ５０を備え、このハブは、装着穴を伴う装着ポスト５２と、この装着ポスト５２から延びるコーン５４とを含む。コーン５４の端には、内側リング５６が形成される。羽根は、装着ポスト５２をモータシャフトに嵌合し固定することによってモータに接続され、従って、羽根は、一般的に知られたように、シャフト共に回転する。翼３０の半径方向内端は、コーン５４の外面に接続される。バックプレート６０には、中心穴６４が設けられ、その周囲は、好ましくは内側リング５０の可塑変形により内側リングにしっかり接続される。従って、バックプレートの内縁は、渦巻部に偶発的に接触することが防止される。
【００２２】
好ましくは、バックプレート６０は、理想的にはアルミニウムシートの型抜きにより、アルミニウムから作られる。
【００２３】
本発明の好ましい実施形態では、本体１０及びバックプレート６０が、各々、プラスチック及び金属で形成され、従って、羽根の重量が軽くなり、そしてコストは、静電気防止プラスチックで全体的に作られた羽根より低くなる。この羽根は、ガスを燃料とする給湯器の予混合送風機に使用される。というのは、外側リング４０の軸方向端及び／又は突起３２がバックプレート６０を越えて延び、金属バックプレート６０と送風機の金属渦巻部との間の直接的な接触を防止するからである。羽根が使用中にずれた状態になると、このような直接的な接触で火花が発生して、ガス／空気混合物を点火し、破滅的結果を招くことがある。
【００２４】
本発明の説明及び特許請求の範囲において、動詞「備える(comprise)」、「含む(include)」、「収容する(contain)」及び「有する(have)」並びにその変化は、各々、ここに述べたアイテムの存在を特定するために包括的な意味で使用され、付加的なアイテムの存在を除外するものではない。
【００２５】
本発明は、１つ以上の好ましい実施形態を参照して説明したが、当業者であれば、種々の変更がなされ得ることが明らかであろう。それ故、本発明の範囲は、特許請求の範囲によって決定されるものとする。
【符号の説明】
【００２６】
１０：本体
２０：カバープレート
２２：空気入口
３０：翼
３２：突起
４０：外側リング
５０：ハブ
５２：装着ポスト
５４：コーン
５６：内側リング
６０：バックプレート
６２：スルーホール
６４：中心穴
【図１】
2011153625.tif 000003
【図２】
2011153625.tif 000004
【図３】
2011153625.tif 000005
【外国語明細書】
2011153625.tif 000006
2011153625.tif 000007
2011153625.tif 000008
2011153625.tif 000009
2011153625.tif 000010
2011153625.tif 000011
2011153625.tif 000012
2011153625.tif 000013